(57)【要約】【課題】消毒剤を入れる容器本体と、付勢に抗して下動させた場合に消毒剤を吐出するポンプヘッドと、を有するポンプ付き消毒器を使用し、その消毒器のポンプヘッドを足踏みペダルで操作するようにした消毒剤吐出装置があるが、足踏みペダルの操作は手に比べて煩わしく、しかも足が不自由な者には使えない。【解決手段】前記消毒剤吐出装置１であって、容器本体３を受ける受部材４と、ポンプヘッド１０を操作するヘッド操作部材７と、足踏みペダル８の踏み込み力をヘッド操作部材７に伝達する運動伝達部材９とを備え、ヘッド操作部材７は、足踏みペダル８の力でポンプヘッド１０を下動操作する操作体１７と、ポンプヘッド１０を手で下動操作する手押部材１８とを有するものであり、足踏みペダル８と手押部材１８の夫々でポンプヘッド１０を下動操作し得るようにした。【選択図】        図１
2012090721.tif 000002
【特許請求の範囲】
【請求項１】
流動可能な消毒剤を入れる容器本体と、その容器本体の上部に上下動可能に装着されると共に常には上動方向に付勢されその付勢に抗して下動させたとき吐出ノズルから前記容器本体の消毒剤を吐出させるポンプヘッドと、を有するポンプ付き消毒器を使用し、そのポンプ付き消毒器の前記ポンプヘッドを足踏みペダルで操作するようにした消毒剤吐出装置であって、
前記容器本体を受ける受部材と、
前記ポンプヘッドを操作するヘッド操作部材と、
前記足踏みペダルの踏み込み力を前記ヘッド操作部材に伝達する運動伝達部材と、を備え、
前記ヘッド操作部材は、
前記運動伝達部材を介して伝達された足踏みペダルの力で前記ポンプヘッドを下動操作する操作体と、
前記ポンプヘッドを手で下動操作する手押部材と、を有するものであり、
足踏みペダルと手押部材のそれぞれで前記ポンプヘッドを下動操作し得るようにしたことを特徴とする消毒剤吐出装置。
【請求項２】
前記手押部材は、前記操作体に付設されており、その操作体と前記運動伝達部材との間に、前記足踏みペダルを原動節とする前記ポンプヘッドを下動させる方向の力が前記操作体に伝達され、一方、前記手押部材を原動節とする前記ポンプヘッドを下動させる方向の力が足踏みペダルに伝達されないワンウェイ係合構造を設けてなることを特徴とする請求項１記載の消毒剤吐出装置。
【請求項３】
前記手押部材は、前記操作体に上下動可能に装着されており、前記操作体が前記ポンプヘッド上に停止している状態において該手押部材を押し下げることにより前記ポンプヘッドを直接下動させ得るようにしたことを特徴とする請求項１記載の消毒剤吐出装置。
【請求項４】
前記手押部材は、前記操作体とは別体の固定的な固定片に上下動可能に装着されており、
一方、前記操作体は、前記ポンプヘッドの上面に対応する部分に上下方向に貫通する開口部を備えており、
前記手押部材の下端を前記操作体の開口部に通してポンプヘッドに対向させ、その状態で手押部材により前記操作体の開口部越しに直接ポンプヘッドを下動操作し得るようにしたことを特徴とする請求項１記載の消毒剤吐出装置。
【発明の詳細な説明】
【技術分野】
【０００１】
本発明は、手指を消毒する消毒剤が入ったポンプ付き消毒器を操作するための消毒剤吐出装置に関する。
【背景技術】
【０００２】
流動可能な例えばジェル状の消毒剤が入った容器本体と、その容器本体の上部に上下動可能に装着されると共に常には上動方向に付勢され、その付勢に抗して下動させたとき吐出ノズルから消毒剤を吐出させるポンプヘッドと、を有するポンプ付き消毒器が市販されている。このポンプ付き消毒器は、施設内に病原菌を持ち込ませないようにすることを目的として病院等の公共施設や小売店の出入口等に設置されており、施設内に入る前に手指が消毒できるようになっている。
【０００３】
しかして前記ポンプ付き消毒器は、ポンプヘッドを片手で押して吐出ノズルから消毒剤を吐出させるようになっているが、ポンプヘッドは不特定多数の人が消毒前の手で触れているため病原菌が付着している可能性があり、そのようなポンプヘッドに触れること自体に抵抗を感じる者も少なからず存在する。
そのような問題を解決するべく、ポンプ付き消毒器の前記ポンプヘッドを足踏みペダルで操作するようにした消毒剤吐出装置が存在する（例えば、特許文献１）。
【先行技術文献】
【特許文献】
【０００４】
【特許文献１】実登第３１５７０７４号公報
【発明の概要】
【発明が解決しようとする課題】
【０００５】
ポンプヘッドを足踏みペダルで操作するようにした従来の消毒剤吐出装置は、ポンプヘッドに触れたくない者にも消毒剤の使用を促す効果がある。
しかし一方、足踏みペダルでポンプヘッドを操作する場合は、低所にあるペダルの位置を確認しつつ踏み込む必要があるため、手での操作に比べて煩わしく感じられ、しかも足が不自由な者には使えない問題があった。
【課題を解決するための手段】
【０００６】
流動可能な消毒剤を入れる容器本体と、その容器本体の上部に上下動可能に装着されると共に常には上動方向に付勢されその付勢に抗して下動させたとき吐出ノズルから前記容器本体の消毒剤を吐出させるポンプヘッドと、を有するポンプ付き消毒器を使用し、そのポンプ付き消毒器の前記ポンプヘッドを足踏みペダルで操作するようにした消毒剤吐出装置であって、
前記容器本体を受ける受部材と、
前記ポンプヘッドを操作するヘッド操作部材と、
前記足踏みペダルの踏み込み力を前記ヘッド操作部材に伝達する運動伝達部材と、を備え、
前記ヘッド操作部材は、
前記運動伝達部材を介して伝達された足踏みペダルの力で前記ポンプヘッドを下動操作する操作体と、
前記ポンプヘッドを手で下動操作する手押部材と、を有するものであり、
足踏みペダルと手押部材のそれぞれで前記ポンプヘッドを下動操作し得るようにした消毒剤吐出装置を提供する。
【０００７】
また、請求項２に記載したように、前記手押部材は、前記操作体に付設されており、その操作体と前記運動伝達部材との間に、前記足踏みペダルを原動節とする前記ポンプヘッドを下動させる方向の力が前記操作体に伝達され、一方、前記手押部材を原動節とする前記ポンプヘッドを下動させる方向の力が足踏みペダルに伝達されないワンウェイ係合構造を設けてなる請求項１記載の消毒剤吐出装置を提供する。
【０００８】
また、請求項３に記載したように、前記手押部材は、前記操作体に上下動可能に装着されており、前記操作体が前記ポンプヘッド上に停止している状態において該手押部材を押し下げることにより前記ポンプヘッドを直接下動させ得るようにした請求項１記載の消毒剤吐出装置を提供する。
【０００９】
また、請求項４に記載したように、前記手押部材は、前記操作体とは別体の固定的な固定片に上下動可能に装着されており、
一方、前記操作体は、前記ポンプヘッドの上面に対応する部分に上下方向に貫通する開口部を備えており、
前記手押部材の下端を前記操作体の開口部に通してポンプヘッドに対向させ、その状態で手押部材により前記操作体の開口部越しに直接ポンプヘッドを下動操作し得るようにした請求項１記載の消毒剤吐出装置を提供する。
【発明の効果】
【００１０】
本発明の消毒剤吐出装置は、足踏みペダルの力でポンプヘッドを下動操作する操作体と、ポンプヘッドを手指で下動操作する手押部材とをヘッド操作部材に設けたため、足踏みペダルによるポンプヘッドの下動操作と、手押部材によるポンプヘッドの下動操作を使用者の好みや状況に応じて自由に使い分けることができる。したがって、手指の消毒励行に効果を発揮する。
【００１１】
また、請求項２の消毒剤吐出装置は、手押部材を操作体に設けてその操作体と運動伝達部材との間にワンウェイ係合構造を設け、そうして手押部材を原動節とするポンプヘッドを下動させる方向の力が、足踏みペダルに伝達されない、つまり手押部材によりポンプヘッドを下動させてもが足踏みペダルに力が伝わらないようにしたため、運動伝達部材や足踏みペダルとは無関係に軽い力で手押部材を押し下げることができる。したがって、ポンプヘッドを直接手で押す感覚に近い感覚で違和感なく手押部材によるポンプヘッドの操作が可能である。
【００１２】
また、請求項３の消毒剤吐出装置は、操作体に手押部材が上下動可能に装着されていて、運動伝達部材や足踏みペダルとは無関係に手押部材のみでポンプヘッドが直接下動させられるため、ポンプヘッドを直接手で押す感覚に近い感覚で手押部材によるポンプヘッドの操作が可能である。
【００１３】
また、請求項４の消毒剤吐出装置は、操作体とは別体の固定的な固定片に手押部材が装着され、しかもその操作体を通り抜ける状態に上下動可能に装着されているから、運動伝達部材や足踏みペダルとは無関係に手押部材のみでポンプヘッドが直接下動させられる。したがって、ポンプヘッドを直接手で押す感覚に近い感覚で手押部材によるポンプヘッドの操作が可能である。
【図面の簡単な説明】
【００１４】
【図１】消毒剤吐出装置の全体斜視図である。
【図２】図１の要部拡大斜視図である。
【図３】消毒剤吐出装置の上部を示す一部断面側面図である。
【図４】消毒剤吐出装置の下部を示す一部断面側面図である。
【図５】実施形態２を示すもので、消毒剤吐出装置の上部を示す一部断面側面図である。
【図６】実施形態３を示すもので、消毒剤吐出装置の上部を示す一部断面側面図である。
【図７】実施形態４を示すもので、消毒剤吐出装置の上部を示す一部断面側面図である。
【図８】実施形態５を示すもので、消毒剤吐出装置の全体斜視図である。
【発明を実施するための形態】
【００１５】
［実施形態１］
以下に本発明の実施の形態１を図１〜図４を参照しつつ説明する。
実施形態１の消毒剤吐出装置１は、消毒剤が入った市販のポンプ付き消毒器２の容器本体３を受ける棚板状の受部材４と、その受部材４を大人の腰程度の高さに支持する支柱５と、その支柱５を垂直状態に支える底台板６と、前記受部材４の上面後方位置に設けたヘッド操作部材７と、前記底台板６の上面に設けた足踏みペダル８と、その足踏みペダル８の踏み込み力を前記ヘッド操作部材７に伝達する運動伝達部材９と、から概略構成される。
【００１６】
［ポンプ付き消毒器］
ポンプ付き消毒器２は、流動可能な例えばジェル状の消毒剤（図示せず）が充填された瓶形態である合成樹脂製の容器本体３と、その容器本体３の上部に上下動可能に装着されたポンプヘッド１０と、を備えている。このポンプヘッド１０は、内蔵するコイルスプリング（図示せず）により上動方向に付勢されていて常態で上昇位置にあり、その上昇位置から前記付勢に抗して押し下げたとき、容器本体３の消毒剤を吸い上げて横向きの吐出ノズル１１から吐出させる周知のものである。
【００１７】
［受部材・支柱・底台板］
受部材４と支柱５と底台板６は、必要な強度を有する限り木、金属、合成樹脂製等どのような材質でもよい。また、支柱５は、単純な柱形態のみならず、棚形態にして予備のポンプ付き消毒器２を保管する等、適宜な収納機能を持たせてもよく、或は消化器（図示せず）を収納するスペースとして利用してもよい。
【００１８】
［ヘッド操作部材］
ヘッド操作部材７は、図２，図３に示したように、調節ネジ１２で上下方向の長さ調節を可能にした伸縮柱体１３と、その伸縮柱体１３の頂部前方に固設され前方に開口１４を有する箱形のケース体１５と、そのケース体１５の内部に後端を回転軸１６で揺動可能に軸着し先端をケース体１５の開口１４から前方に突出させて前記ポンプヘッド１０の頂部に載せた操作体１７と、その操作体１７の前縁から上向きに突設した手押部材１８と、から構成される。
【００１９】
このヘッド操作部材７の前記操作体１７は、金属製の帯板をクランク状に屈曲させて形成したものであり、その下面にポンプヘッド１０の頂部後方部分を収める平面視コ字状のガイド枠１９が突設されている。
また、操作体１７の前縁の手押部材１８は、操作体１７を構成する帯板を上向きに屈曲させて形成されており、上端に手押しに適した押しボタン２０が固着されている。
【００２０】
［足踏みペダル］
足踏みペダル８は図４に示したように、前記底台板６上に立設した軸受片２１にペダル軸２２で揺動自在に軸着され、そのペダル軸２２に挿通したバネ２３により常には後方（支柱５に対向する側）が浮いた傾斜状態になっており、そのバネ２３の付勢に抗して足踏みペダル８を踏み込むと、浮いた後方側が図４二点鎖線のように下向きに変位し、足を離すと前記バネ２３の付勢で元の姿勢に復動する。
【００２１】
［運動伝達部材］
運動伝達部材９は、前記足踏みペダル８の踏み込み力を前記ヘッド操作部材７の操作体１７に伝達するものであり、実施形態ではワイヤチューブ２４とその中に通したプッシュプルワイヤ２５とで構成されている。
【００２２】
具体的にワイヤチューブ２４は、図３に示したようにヘッド操作部材７のケース体１５の底壁２６に上端が固着され、図４に示したように前記底台板６から逆Ｌ字状に突設したチューブホルダ２７に下端が固着されている。なお、実施形態では理解を容易にするため、図１に示したようにワイヤチューブ２４を支柱５の正面に露出させたが、もちろん支柱５の内部又は背面にワイヤチューブ２４を通して正面から見えないようにするとよい。
一方、プッシュプルワイヤ２５は、前記ワイヤチューブ２４内に摺動自在に挿通されており、その上端が図３に示したように操作体１７に後述するワンウェイ係合構造を介して係合し、下端が図４に示したように足踏みペダル８の下面からＬ字状に垂設したワイヤ受け２８に係合している。
【００２３】
プッシュプルワイヤ２５の上端と操作体１７をつなぐワンウェイ係合構造は、図３の拡大図に示したように、プッシュプルワイヤ２５の径より大きな内径の遊孔２９にプッシュプルワイヤ２５を挿通し、そのプッシュプルワイヤ２５の上端に固着した丸軸状の止めピン３０を前記遊孔２９の上面側に単純係合させるものである。したがってプッシュプルワイヤ２５を下向きに引っ張ると止めピン３０が遊孔２９に引っ掛かって力が操作体１７に伝達され、逆に操作体１７に力を加えて下動させても遊孔２９との間に遊びがあるためプッシュプルワイヤ２５には伝わらない。
【００２４】
次に実施形態１の消毒剤吐出装置１の使用方法について説明する。
まず、消毒剤吐出装置１の受部材４に消毒剤が入ったポンプ付き消毒器２を設置する。かかる設置作業は、吐出ノズル１１を前方に向けた向きにして容器本体３を受部材４の上面前寄り位置に載置し、その状態で操作体１７のガイド枠１９にポンプヘッド１０の頂部後端が当たるまで摺動させるようにして行う。ここでもしポンプヘッド１０の高さと操作体１７の高さとが一致しない場合は、伸縮柱体１３の調節ネジ１２を緩めてその長さを調節し、操作体１７の高さをポンプヘッド１０の高さに合わせて調節ネジ１２を締め戻す。なお、図示しないが、受部材４に容器本体３を固定するバンド等の固定手段を設けることにより容器本体３の固定を安定的なものにしてもよい。
【００２５】
次に、手を使わずにポンプ付き消毒器２から消毒剤を吐出させるには、片足のつま先側で足踏みペダル８を踏み込む。そうすると足踏みペダル８が図４二点鎖線のようにバネ２３の付勢に抗して支柱５に対向する側を下げ、それと一体にワイヤ受け２８が下がり、そのワイヤ受け２８に引っ張られてプッシュプルワイヤ２５が引き下げられる。こうして足踏みペダル８を原動節とする力が前記ワンウェイ係合構造を構成する止めピン３０に伝わって図３二点鎖線のように操作体１７を下げる。これにより操作体１７の下にあるポンプヘッド１０が押し下げられるため、容器本体３の中にある消毒剤が吐出ノズル１１から吐出する。
【００２６】
次に、足踏みペダル８から足を離すと足踏みペダル８がバネ２３の弾性により元の位置に復動し、それに連れてプッシュプルワイヤ２５も上昇するが、プッシュプルワイヤ２５は操作体１７の遊孔２９を通るため、止めピン３０のみ上昇する。一方、ポンプヘッド１０は、容器本体３内に内蔵されたコイルスプリングにより上昇するため、そのポンプヘッド１０に持ち上げられるようにして操作体１７も元の位置に復動する。なお、ポンプヘッド１０のコイルスプリングに作用する復動時の負荷を軽減させるため、操作体１７にその操作体１７を復動方向に付勢するバネを別途設けるようにしてもよい。
【００２７】
次に、足を使わずに手で消毒剤を吐出させるには、図３矢示のように手押部材１８の押しボタン２０を片手で押し下げる。そうすると図３二点鎖線のように操作体１７が前傾姿勢に傾動するため、ポンプヘッド１０が押し下げられて吐出ノズル１１から消毒剤が吐出する。このとき実施形態１（実施形態２〜５も同じ。）では、手押部材１８の押し下げ部（押しボタン２０）とポンプヘッド１０の間が離れているため、ポンプヘッド１０を直接手で押し下げる場合に比べて押す手と受ける手の間隔が適度に開く。よって、吐出ノズル１１が見やすくなって消毒剤が受けやすい。
その後、押しボタン２０から手を離すと、前記と同じく、容器本体３内に内蔵されたコイルスプリングによりポンプヘッド１０が上昇し、それと一緒に操作体１７も元の位置に復動する。なお、この手押部材１８による一連の動作は、ワンウェイ係合構造を構成するプッシュプルワイヤ２５と遊孔２９との間の遊びにより、手押部材１８を原動節とするポンプヘッド１０の下動力がプッシュプルワイヤ２５に伝わらないため、足踏みペダル８から完全に切り離されている。
【００２８】
［実施形態２］
図５は、実施形態２の消毒剤吐出装置１の上部を示す一部断面側面図である。この実施形態２は、前記ケース体１５の内部上方にプッシュプルワイヤ２５に固着した揺動片３１を軸着し、その揺動片３１の先端を操作体１７の上面に当てたものである。この場合、揺動片３１は実施形態１の止めピン３０と実質的に同じ作用を果たすものであり、止めピン３０と同じくワンウェイ係合構造の一部を構成する。それ以外については実施形態１と同じであるため詳細な説明を省略する。
【００２９】
［実施形態３］
図６は、実施形態３の消毒剤吐出装置１の上部を示す一部断面側面図である。実施形態３の消毒剤吐出装置１は、手押部材１８を構成する鍔付き摺動軸３２を操作体１７の上面に突設したシリンダ３３内に上下摺動可能に挿通させると共にその鍔付き摺動軸３２の鍔にシリンダ３３内に装填したスプリング３４の弾性を付与して上向きに付勢したものである。この鍔付き摺動軸３２の下端には前記操作体１７を挟んで前記ガイド枠１９が固着され、また、上端には押しボタン２０が固着されている。
一方、操作体１７は、プッシュプルワイヤ２５の上端に固着されている。
なお、それ以外の構成については実施形態１と同じであるため詳細な説明を省略する。
【００３０】
以上のように構成される実施形態３の消毒剤吐出装置１は、実施形態１と同じく足踏みペダル８の踏み込みで操作体１７が前傾揺動し、それとガイド枠１９（手押部材１８）も一緒に下動してポンプヘッド１０が押し込まれ、消毒剤が吐出ノズル１１から吐出する。その後、足踏みペダル８から足を離すと、前記バネ２３の弾性で足踏みペダル８が復動し、これに伴いプッシュプルワイヤ２５が上動して操作体１７及び手押部材１８も元位置に復動する。もちろん操作体１７及び手押部材１８にはポンプヘッド１０の上昇復元力も同時に作用する。
【００３１】
また、手を使って消毒剤を吐出させる場合は、手押部材１８の押しボタン２０を図６矢示のように真っ直ぐ下に押し込む。このとき操作体１７は、踏み込まれていない足踏みペダル８に対しプッシュプルワイヤ２５で連結されていて固定状態になっているため、シリンダ３３内のスプリング３４が鍔付き摺動軸３２の鍔と操作体１７の間に挟まれて収縮する。そうして手押部材１８によりポンプヘッド１０が押し下げられるから吐出ノズル１１から消毒剤が吐出する。その後、押しボタン２０から手を離すとシリンダ３３内のスプリング３４の弾性で鍔付き摺動軸３２が上昇し、ポンプヘッド１０も内蔵されたコイルスプリングの弾性で元位置に復動する。
【００３２】
上記の説明で明らかなように実施形態３では、シリンダ３３を通って操作体１７の下面に突き抜ける鍔付き摺動軸３２が、実施形態１と同様のワンウェイ係合構造を構成する。
【００３３】
［実施形態４］
図７は、実施形態４の消毒剤吐出装置１の上部を示す一部断面側面図である。実施形態４の消毒剤吐出装置１は、実施形態３のシリンダ３３をケース体１５から突設した固定片３５に設けるようにしたものである。一方、前記操作体１７には、ポンプヘッド１０に対向する位置に上下方向に貫通する孔状又は切欠状の開口部１７ａが形成されており、手押部材１８の鍔付き摺動軸３２の下端がこの開口部１７ａを通ってポンプヘッド１０に直に対向している。
この実施形態４の消毒剤吐出装置１は、手押部材１８を押し込むことによりポンプヘッド１０を直接下動操作することができ、また、足踏みペダル８を踏み込むことにより操作体１７のみでポンプヘッド１０を下動操作することができる。それ以外については実施形態１，３と同じであるため詳細な説明を省略する。
【００３４】
［実施形態５］
図８は、実施形態５の消毒剤吐出装置１の全体斜視図である。
これまで説明した実施形態１〜４の消毒剤吐出装置１は、底台板６と受部材４を支柱５で連結したが、実施形態５では受部材４を板状に形成し、それを建物の壁面等に取り付けられている棚板３６に設置できるようにしたものである。この受部材４にはコ字状のクランプ部材３７が取り付けられており、このクランプ部材３７で棚板３６を挟んで固定する。或はクランプ部材３７を設けず、受部材４を棚板３６にビス止めするようにしてもよい。それ以外については実施形態１〜４と同じであるため詳細な説明を省略する。
なお、実施形態５の消毒剤吐出装置１は、既にポンプ付き消毒器２を設置する棚板３６が設けられている施設等に導入する場合に大きなメリットがある。
【００３５】
以上、本発明を実施形態１〜５について説明したが、もちろん本発明は上記実施形態に限定されるものではない。例えば実施形態では運動伝達部材９としてプッシュプルワイヤ２５とワイヤチューブ２４の組合せを例示したが、これに代えて一般的なリンク機構を使用してもよい。
【符号の説明】
【００３６】
１  …消毒剤吐出装置
２  …ポンプ付き消毒器
３  …容器本体
４  …受部材
７  …ヘッド操作部材
８  …足踏みペダル
９  …運動伝達部材
１０…ポンプヘッド
１１…吐出ノズル
１７…操作体
１７ａ…開口部
１８…手押部材
３５…固定片
【図１】
2012090721.tif 000003
【図２】
2012090721.tif 000004
【図３】
2012090721.tif 000005
【図４】
2012090721.tif 000006
【図５】
2012090721.tif 000007
【図６】
2012090721.tif 000008
【図７】
2012090721.tif 000009
【図８】
2012090721.tif 000010